(57)【要約】【課題】作業効率を向上させる表示パネルの固定手段を備える表示装置を提供すること。【解決手段】表示パネル１０と、表示パネル１０を取付部２１において固定するケース部材である固定板２０とを備えた表示装置である。また表示装置に備えられたケース部材である固定板２０は、シートメタルにより構成され、取付部２１は表示パネル１０の側面に当接する立ち上がり部２１１と、表示パネル１０の視認側の面に当接する折り曲げ部２１２とを有する表示装置。【選択図】  図１
2008083651.tif 000002
【特許請求の範囲】
【請求項１】
表示パネルと、
当該表示パネルを取付部において固定するケース部材とを備えた表示装置であって、
前記取付部は、前記表示パネルの側面に当接する立ち上がり部と、前記表示パネルの視認側の面に当接する折り曲げ部とを有し、
当該取付部は、前記表示パネルの四隅近傍に対応する前記ケース部材の四隅に設置され、対角にある前記取付部の折り曲げ部同士が、互いに前記ケース部材の内側向き、かつ前記表示パネルとの当接辺に平行になるように配置されている表示装置。
【請求項２】
前記立ち上がり部は、前記ケース部材の主面に対して垂直に立ち上がり、
前記折り曲げ部は、前記ケース部材の主面に対して平行になるように形成されていることを特徴とする請求項１に記載の表示装置。
【請求項３】
前記取付部の折り曲げ部がクリップ状になっている請求項１又は請求項２に記載の表示装置。
【請求項４】
前記ケース部材は、前記表示パネルを第二表示パネルとして固定するとともに、第一表示パネルとバックライトとを収納する筐体とされている請求項１から請求項３のいずれかに記載の表示装置。
【発明の詳細な説明】
【技術分野】
【０００１】
本発明は、表示装置に関し、特に、表示パネルをケース部材に取り付ける取付部を備えた表示装置に関する。
【背景技術】
【０００２】
液晶表示パネルを外装ケースなどのケース部材に固定する方法としては、接着部材を用いる方法（例えば、特許文献１参照）、係止爪を用いる方法（たとえば、特許文献２参照）などが一般的に採用されている。
【０００３】
このうち、接着剤（両面接着テープを含む）による固定方法は、最も一般的に使用されているが、部品点数が増え、コストアップにつながり妥当でない。また一度固定すると、液晶表示パネルの取り外し修理や清掃等において作業性が悪く、場合によっては液晶表示パネルの破損にいたるといった問題が生じる。
【０００４】
係止爪による場合には、接着剤による固定方法に比べ部品点数が増えることなく、作業効率が改善される。また固定に要するスペースの観点からもコンパクトな設計が可能となる。しかし、液晶表示パネルの取り外し修理、清掃、再利用等において作業性が依然悪く、場合によっては液晶表示パネルの破損にいたるといった問題は解決できない。また、液晶表示パネルは非常にデリケートであるため、係止爪と液晶表示パネルの接する面積を可能な限り抑えなければ液晶表示パネルが破損してしまうという問題も発生する。
【０００５】
また、液晶表示装置を搭載した携帯電話機は、より多くの情報を表示するために、表示部を大型化しつつ、携帯性を保つことができる折り畳み式の携帯電話機が普及している。折り畳み式の携帯電話機は、表示部を有する上部本体と、キーボタン等を有する下部本体を備えており、本体を開いた状態において、その上部本体表面に画像等を表示するメイン側表示部と、本体を閉じた状態において、その上部本体裏面に画像等を表示するサブ側表示部の二つの表示部を本体に備えたものが知られている。
【０００６】
これらの二つの表示部は、上部本体の内部に、それぞれ液晶表示パネルを有しており、表示部が透過型の液晶表示装置であれば、さらに導光板等を含むバックライト等を有している。導光板は、光源から出射された光を、面状の光として液晶表示パネルへ照射し、液晶表示パネルにおいて画像等の表示が行われる。また、２枚の液晶表示パネルに対し、１枚の導光板により２枚の液晶表示パネルを照射する方法（例えば、特許文献３参照）が知られ、部品点数削減による部品費用や組み立て費用のコストダウンが可能となり、かつ、薄型化を可能にした。よって、ますます需要の拡大が見込まれ、メイン側表示パネルと、バックライトと、サブ側表示パネルを一体として取り扱う機会が増えてきている。
【特許文献１】特開２００３−１２１８１５号公報
【特許文献２】特開２００５−７９２３６号公報
【特許文献３】特開２００３−１８８９５９号公報
【発明の開示】
【発明が解決しようとする課題】
【０００７】
上述のように、液晶表示パネルを固定する方法として、接着部材を使用した場合には、部品点数が増え、歩留まり等の作業効率を向上させることができない、またリペアが困難であるという問題があった。また、係止爪による固定の場合には、液晶表示パネルの取り付け作業、取り外し修理や清掃や再利用等において液晶表示パネルの破損が発生し作業性を向上させることができない、また振動や衝撃が加えられ水平方向に過大な負荷が加えられると、弾性変形可能な係止爪が撓み液晶表示パネルが外れてしまうという問題があった。
【０００８】
本発明は、このような事情を背景としてなされたものであり、本発明の目的は、作業効率を向上させることができ、耐振動性を向上させることができる表示パネルの固定手段を備えた表示装置を提供することである。
【０００９】
本発明の第２の目的は、メイン側表示パネル（第一表示パネル）と、バックライトと、サブ側表示パネル（第二表示パネル）を一体として取り扱い、特にサブ側表示パネルの固定手段を備えた表示装置を提供することである。
【課題を解決するための手段】
【００１０】
本発明の第１の態様に係る表示装置は、表示パネルと、当該表示パネルを取付部において固定するケース部材とを備えた表示装置であって、前記取付部は、前記表示パネルの側面に当接する立ち上がり部と、前記表示パネルの視認側の面に当接する折り曲げ部とを有し、当該取付部は、前記表示パネルの四隅近傍に対応する前記ケース部材の四隅に設置され、対角にある前記取付部の折り曲げ部同士が、互いに前記ケース部材の内側向き、かつ前記表示パネルとの当接辺に平行になるように配置された表示装置である。これにより、部材点数を抑えながら固定作業性を向上でき、表示パネルの破損を抑え、歩留まり等の作業効率を向上させることができる。また、表示パネルの取り外し修理や清掃等において作業性を向上することができ、衝動や衝撃が加えられた場合においても、表示パネルが外れてしまうのを防止することができる。
【００１１】
本発明の第２の態様に係る表示装置は、上記の表示装置において、前記立ち上がり部は、前記ケース部材の主面に対して垂直に立ち上がり、前記折り曲げ部は、前記ケース部材の主面に対して平行になるように形成されている表示装置である。これにより、部材点数を抑えながら、薄型化を図ることができる。
【００１２】
本発明の第３の態様に係る表示装置は、上記の表示装置において、前記取付部の折り曲げ部がクリップ状になっている表示装置である。これにより、折り曲げ部と表示パネルの接する面積を可能な限り抑えることができるため、表示パネルの破損を極力抑えることができ、また表示パネルの位置ズレを防止し、組み立て時の作業性を向上することができる。更に、取り外し修理や清掃等において作業性を向上することができる。
【００１３】
本発明の第４の態様に係る表示装置は、上記の表示装置において、前記ケース部材は、前記表示パネルを第二表示パネルとして固定するとともに、第一表示パネルとバックライトとを収納する筐体とされている表示装置である。このような構成により、部材点数を極力抑えた状態で一体として取り扱うことができ、最終的な携帯電話機の組み立て時の作業効率を向上させることができる。
【発明の効果】
【００１４】
本発明により、表示パネルの破損を防ぎ、作業効率および耐振動性を向上させる表示パネルの固定手段を備えた表示装置を提供することができる。
【発明を実施するための最良の形態】
【００１５】
発明の実施の形態１．
本発明の実施の形態に係る表示装置について、図１を参照して説明する。図１は、本発明に係る表示装置において、液晶表示パネルを、取付部によりケース部材に固定した状態の拡大断面図である。
【００１６】
図１に示すように、本実施の形態に係る表示装置１００は、液晶表示パネル１０、ケース部材である固定板２０および支持板３０などを有している。固定板２０は、液晶表示パネル１０の取付けに寄与する取付部２１と、液晶表示パネル１０の取付けに寄与しない非取付部２２を有する。更に取付部２１は、固定板２０から一体に加工されていてもよく、非取付部２２より垂直に延在した立ち上がり部２１１と、当該立ち上がり部２１１から折れ曲がり、非取付部２２の主面に対して平行な折り曲げ部２１２を有する。本発明に係る表示装置１００は、部材点数を抑えながら、液晶表示パネルの破損を抑え、歩留まり等の作業効率を向上させるものである。
【００１７】
液晶表示パネル１０は、画像の表示を行う。液晶表示パネル１０は、素子基板と、素子基板に対向して配置された対向基板との間に液晶を挟持した構成を有している（不図示）。また、素子基板の視認側には視認側偏光板が貼着され、対向基板の反視認側には反視認側偏光板が貼着された構成を有している（不図示）。
【００１８】
液晶表示パネル１０としては、様々なタイプのものを使用することができる。例えば、各画素にスイッチ素子を有するアクティブタイプの液晶表示パネル、スイッチ素子を有していないパッシブタイプの液晶表示パネル、あるいは、透過型、反射型あるいは半透過半反射型のいずれの液晶表示パネルを使用することもできる。また、ＴＮ（Twisted Nematic）モード、ＳＴＮ（Super Twisted Nematic）モード、あるいはＩＰＳ（In Plane Switching）モードなどいずれのモードの液晶表示パネルを使用することも可能である。なお、液晶表示パネルの他に、有機ＥＬ（Electro Luminescence）表示パネルや無機ＥＬ表示パネルなどの他の態様の表示パネルを使用することもできる。
【００１９】
固定板２０は、主に鉄鋼板やステンレス鋼板等からなるシートメタルまたは樹脂などから形成される。シートメタルを使用する場合は、３次元加工による一体加工がし易く、取付部の端部に折り曲げ部を形成し易くなり、加工性が向上する。
【００２０】
取付部２１は、係止爪構造を有する。取付部２１は、図２に示すように、平板状の固定板２０から取付部２１に対応する部分が切り出され、そして、立ち上がり部２１１が、当該固定板２０の非取付部２２の主面に対して垂直な方向に折り曲げられ、かつ、立ち上がり部２１１の先端に位置する所定領域を液晶表示パネル１０を保持する側に折り曲げて、折り曲げ部２１２が形成される。立ち上がり部２１１は、液晶表示パネル１０の側面と接し、折り曲げ部２１２は、液晶表示パネル１０の視認側の面と接しており、これにより、液晶表示パネル１０を固定板２０に対して正確に位置決めし、固定している。好ましい実施の形態において、折り曲げ部２１２は、固定板２０の非取付部２２の主面に対して平行に延在している。
【００２１】
従来の接着剤による固定方法は、部品点数が増え、コストアップとの問題があった。更に、従来の係止爪による固定方法では、部品点数は増えないが、液晶表示パネルの取り外し修理、清掃、再利用等において作業性が依然悪く、場合によっては液晶表示パネルの破損にいたるといった問題は解決できない。また、液晶表示パネルは非常にデリケートであるため、係止爪と液晶表示パネルの接する面積を可能な限り抑えなければ液晶表示パネルが破損してしまうという問題も発生する。また、振動や衝撃が加えられた場合、表示パネルが外れてしまうという問題が発生する。
【００２２】
しかしながら、本発明によれば、取付部２１が、固定板２０と一体に加工されており、液晶表示パネル１０の固定は、取付部２１の立ち上がり部２１１と、折り曲げ部２１２と、支持板３０とで、液晶表示パネル１０を挟持して液晶表示パネル１０を固定板２０に取付けている。このため液晶表示パネル１０の視認側の面と折り曲げ部２１２が接する部位において、液晶表示パネル１０の非視認側の面には空間が生じており、液晶表示パネル１０の縁部に接する取付部の面積を抑えることができ、縁部に集中する挟持による応力を分散することができる。結果として、液晶表示パネル１０において、一番破損し易い、液晶表示パネル１０の外縁を保護することができ、液晶表示パネル１０が破損してしまうという問題を解消することができる。
【００２３】
また、液晶表示パネル１０は、前述の通り、素子基板と、素子基板に対向して配置された対向基板との間に液晶を挟持した構成を有しているため、液晶表示パネル１０の縁部において挟持による応力が集中すれば、破損の原因となる。しかしながら、本発明によれば、縁部に集中する挟持による応力を分散することができるため破損の問題を極力抑えることができる。尚、取付部２１が、固定板２０から一体に加工されているため、部品点数の増加はなく、コストアップの問題は発生しない。
【００２４】
また、液晶表示パネル１０の四隅に設置された取付部２１が、図４に示すように、液晶表示パネル１０の四隅近傍に配置され、対角にある折り曲げ部２１２が、反対方向に延在するように配置され、かつ、液晶表示パネル１０の任意の一辺と平行となるように配置することにより、組み立て時の作業性を向上することができる。ここで、対角にある折り曲げ部２１２が、反対方向に配置した場合の液晶表示パネル１０の固定方法を図５に示す。図５の左図に示すように、先ず、液晶表示パネル１０を４箇所の取付部２１の間に配置する。次に、当該液晶表示パネル１０を固定板２０上で矢印方向に回転させる。当該回転により、液晶表示パネル１０の四隅が、それぞれ、取付部２１の立ち上がり部２１１に当接する。結果として、図５の右図に示すように、取付部２１の立ち上がり部２１１と、折り曲げ部２１２と、支持板３０により、液晶表示パネル１０の四隅を挟持して固定板２０に取付けられる。よって、組み立て時の作業性を向上することができる。更に取り外す場合には、矢印方向と逆方向に液晶表示パネル１０を回転させれば簡単に取り外すことができ、修理や清掃等において作業性を向上することができる。
【００２５】
ここで、折り曲げ部２１２が、図３に示すように、クリップ状になっていることが好ましい。より具体的には、折り曲げ部２１２は、液晶表示パネル１０側に中央が突出するように湾曲している。クリップ状にすることにより、折り曲げ部２１２の先端が液晶表示パネル１０に接し難く、液晶表示パネル１０の表面を傷つける心配がない。更に当該取付部２１の内、少なくとも折り曲げ部２１２がバネ性を有していることが好ましい。バネ性を有することにより、液晶表示パネル１０を常に押圧して挟み込むことにより、液晶表示パネル１０のズレを更に解消することができる。
【００２６】
発明の実施の形態２．
次に本発明の実施の形態２に係る表示装置について、図６を参照して説明する。尚、この発明の実施の形態２に係る表示装置の全体構成は図１に示す構成と同様であり、説明を省略する。この発明の実施の形態２では、本願発明の取付部で固定される液晶表示パネルが第二液晶表示パネル１０であり、ケース部材である固定板２０が第二液晶表示パネル１０を固定するとともに、バックライト４０と、第一液晶表示パネル１１を収納する筐体とされている点に特徴を有する。
【００２７】
バックライト４０は、第一液晶表示パネル１０と、第二液晶表示パネル１１に、共通に、面状の光を照射する面状光源装置を構成する。バックライト４０に、光源が収納されることにより、第一液晶表示パネル１０と、第二液晶表示パネル１１とに面状の光を照射する面状光源装置が完成する。バックライト４０は、第一液晶表示パネル１０と、第二液晶表示パネル１１の間に設けられている。バックライト４０は、導光板や、反射シート、プリズムシート（不図示）などの光学部材や当該光学部材を収納するフレームなどを備えている。
【００２８】
第一液晶表示パネル１０と、第二液晶表示パネル１１を形成する液晶表示パネルとしては、様々なタイプのものを使用することができる。例えば、各画素にスイッチ素子を有するアクティブタイプの液晶表示パネル、スイッチ素子を有していないパッシブタイプの液晶表示パネル、あるいは、透過型、反射型あるいは半透過半反射型のいずれの液晶表示パネルを使用することもできる。また、ＴＮ（Twisted Nematic）モード、ＳＴＮ（Super Twisted Nematic）モード、あるいはＩＰＳ（In Plane Switching）モードなどいずれのモードの液晶表示パネルを使用することも可能である。なお、液晶表示パネルの他に、有機ＥＬ（Electro Luminescence）表示パネルや無機ＥＬ表示パネルなどの他の態様の表示パネルを使用することもできる
【００２９】
第二液晶表示パネル１０は、サブパネルであり、折り畳み式の携帯電話機に使用した場合において、電界強度、バッテリー残量、時計などを、折りたたんだ状態にしても常に視認できるように、表示するものである。第一液晶表示パネル１１は、メインパネルであり、折り畳み式の携帯電話機を開いた状態で使用し、使い勝手の観点から第二液晶表示パネル１０より大型である。
【００３０】
従来の第二液晶表示パネルと、バックライトと、第一液晶表示パネルとをケース部材により筐体として収納している表示装置では、第二液晶表示パネルと、ケース部材との固定が、接着剤による固定であったため、部品点数が増え、コストアップするとの問題があった。また、バックライトと、第一液晶表示パネルとを、ケース部材を加工し、収納した後に、第二液晶表示パネルを最終的に取り付ける場合、従来の係止爪による固定方法では、係止爪と第二液晶表示パネルの接する面積を可能な限り抑えなければ、第二液晶表示パネルが破損してしまう。更に、第二液晶表示パネルと、バックライトと、第一液晶表示パネルとをケース部材により筐体として収納している表示装置において、第二液晶表示パネルだけを取り外し、修理、清掃、再利用等する場合、従来の係止爪による固定方法では第二液晶表示パネルの破損にいたるといった問題がある。更に作業によっては、大画面の第一液晶表示パネルまで破損するといった問題があった。
【００３１】
しかしながら、本発明によれば、取付部が、ケース部材から一体に加工されているため、第二液晶表示パネル１０の固定は、取付部２１の立ち上がり部２１１と、折り曲げ部２１２と、支持板３０とで、第二液晶表示パネル１０を挟持して第二液晶表示パネル１０を固定板２０に取付けている。このため第二液晶表示パネル１０の視認側の面と、折り曲げ部２１２が接する部位において、第二液晶表示パネル１０の非視認側には空間が生じており、第二液晶表示パネル１０の縁部に接する面積を抑えることができ、縁部に集中する挟持による応力を分散することができる。結果として、液晶表示パネルにおいて、一番破損し易い、液晶表示パネルの外縁を保護することができ、第二液晶表示パネルが破損してしまうという問題を解消することができる。よって、歩留まりの改善など、組み立て時の作業性を向上することができる。
【００３２】
さらに、本発明によれば、取付作業時と逆方向に第二液晶表示パネル１０を回転させれば、第二液晶表示パネル１０と、バックライト４０と、第一液晶表示パネル１１とを固定板２０により筐体として収納している表示装置から、第二液晶表示パネル１０だけを簡単に取り外すことができ、修理や清掃等において作業性を向上することができる。
【図面の簡単な説明】
【００３３】
【図１】本発明に係る表示装置の構成の一例を示す断面図である。
【図２】本発明に係る取付部をケース部材から一体加工する製造方法を説明するための製造工程図である。
【図３】本発明に係る表示装置の構成の一例を示す断面図である。
【図４】本発明に係る表示装置の構成の一例を示す斜視図である。
【図５】本発明に係る取付部を有するケース部材に液晶表示パネルを取り付ける方法を説明するための工程図である。
【図６】本発明に係る表示装置の構成の一例を示す断面図である。
【符号の説明】
【００３４】
１０  液晶表示パネル
１１  第一液晶表示パネル
２０  固定板
２１  取付部
３０  支持板
４０  バックライト
５０  樹脂フレーム
１００  表示装置
２１１  立ち上がり部
２１２  折り曲げ部
【図１】
2008083651.tif 000003
【図２】
2008083651.tif 000004
【図３】
2008083651.tif 000005
【図４】
2008083651.tif 000006
【図５】
2008083651.tif 000007
【図６】
2008083651.tif 000008